(57)【要約】      （修正有）【課題】物品載置用の回転台と物品照明用の多色発光部を備えるディスプレーの使用に際して、回転台の動作と照明光の色、光度をワイヤレス状態でかつ遠隔操作により制御できるディスプレー装置を提供する。【解決手段】ディスプレー本体２を、透明性素材よりなる側面部３と、物品載置用の回転台４１と充電池４３１にて駆動する回転台駆動部４２とを備える台座部４と、充電池４３１にて発光し、ＬＥＤ５１２及び調色回路を実装したＬＥＤ基板５１１よりなる多色発光部を備える構造とし、さらに回転台駆動部４２と多色発光部はリモコン６による遠隔操作が可能な構造とした。【選択図】図１
0003217481.tif 000002
【実用新案登録請求の範囲】
【請求項１】
ディスプレー装置であって、前記ディスプレー装置は、
ディスプレー本体とリモコンよりなり、
前記ディスプレー本体は、
側面部と、台座部と、天蓋部と、を備え、
前記側面部は、透明性素材よりなっており、
前記台座部は、物品載置用の回転台と、前記回転台の駆動部と、前記駆動部制御信号を受信する第一の受信部と、を備え、
前記駆動部は、モーターと、減速ユニットと、前記駆動部用の第一の充電池と、前記第一の充電池充電用のソケットと、を備え、
前記天蓋部は、前記回転台に載置された物品を照らす多色発光部と、前記多色発光部用の第二の充電池と、前記第二の充電池充電用ソケットと、前記多色発光部制御信号を受信する第二の受信部とを備え、
前記リモコンは、前記駆動部制御信号と、前記多色発光部制御信号を送信する機能を備える、
ディスプレー装置。
【請求項２】
前記多色発光部はフルカラーＬＥＤを組み込んだものである請求項１に記載のディスプレー装置。
【考案の詳細な説明】
【技術分野】
【０００１】
本考案はディスプレー装置に関する。さらに詳しくは、物品の観賞・展示用のディスプレー装置に関する。
【背景技術】
【０００２】
陶器、人形、オブジェ、天然石、宝石などの物品の鑑賞や展示用に様々なショーケースやディスプレーが編み出されている。これらのディスプレー類は、物品が備える美観を最大限に楽しめるよう種々の工夫が施されている。
公開実用新案 昭和５２−５７５９５号公報（以後、特許文献１）には、回転台（ターンテーブル）を備えた人形ケースが開示されている。この人形ケースでは、回転台に載せた人形はくるくる回り、観る者をおおいに楽しませる。
登録実用新案第３１１９１２６号公報（以後、特許文献２）には、回転台に加え、ケースの天井部に白色ＬＥＤの照明部を設けたコレクションケースが開示されている。これにより、コレクションは回転台にて廻り、更に白色ＬＥＤによりライトアップされるので、鑑賞効果がさらに増す。
【先行技術文献】
【特許文献】
【０００３】
【特許文献１】公開実用新案 昭和５２−５７５９５号公報
【特許文献２】登録実用新案第３１１９１２６号公報
【考案の概要】
【考案が解決しようとする課題】
【０００４】
しかしながら、照射する光の色により美観が多様に変化する物品の場合、物品を単に白色光で照らす従来のディスプレーでは、その物品が本来備えている美観を十分に楽しむことができないという問題があった。
また、本考案者の知る限り、既存のディスプレーは、回転台（回転テーブル）の起動・停止、回転速度の調節、さらには物品を照射する光源のオンオフ、照射光強度の調節は、ディスプレー本体に直結のスイッチ類を操作せねばならないという問題も有った。
そこで本考案者らは、回転台を備えるディスプレーであって、白色のみならず、多彩な色の光を照射でき、かつ回転台の動作制御と照射光の調色と光度を遠隔操作できるディスプレーの提供を目的として鋭意検討した。
【課題を解決するための手段】
【０００５】
その結果、本考案者は、以下の構成になる装置が、上記課題を解決するのを見出し、本考案を完成するに至った。
すなわち、本考案は、ディスプレー本体とリモコンより構成されるディスプレー装置である。ここに、上記ディスプレー本体は、透明性素材よりなる側面部と、物品載置用の回転台と回転台駆動部とを備える台座部と、ＬＥＤを光源とする多色発光部を備える天蓋部を備えるものである。さらに、回転台駆動部と多色発光部の電源は、充電池により供給されるものである。また、上記リモコンは、上記回転台駆動部と上記多色発光部を制御するための信号を発信する機能を備えるものである。
【考案の効果】
【０００６】
上記構成とすることにより、本考案のディスプレー装置の使用者は、物品を回転台に載せるだけで、リモコンにより、回転台の起動・停止、回転方向、回転速度を自在に制御できるだけでなく、物品の特性と利用者の趣向に合わせ、照明光の調色、光度を自由に遠隔制御できる。その結果、観賞用に用いれば利用者は手元のリモコン操作により、コレクションの物品の多様な美観を自分の趣向に応じて楽しめる。また、博物館やデパート等において、展示用に用いれば、物品（展示品や商品）の魅力を最大限にアピールできる。加えて、回転台と照明の電源は充電地にて供給されるので、充電中を除いて、ワイヤレス状態で作動する。このため、観賞用、展示用のいずれにおいても、見栄えがよくなり、かつ装置設置場所の制約も無いメリットがある。
【図面の簡単な説明】
【０００７】
【図１】本考案の一実施形態の概略を示す透視斜視図である。
【図２】図１におけるＡ−Ａ線方向の断面図である。
【図３】リモコンの操作ボタンの一構成を示す図である。
【図４】本考案の一形態の使用状態を示す図である。
【考案を実施するための形態】
【０００８】
以下、図を参照しながら、本考案の形態を説明する。
本考案のディスプレー装置１は、ディスプレー本体２とリモコン６とにより構成される（図１）。
【０００９】
ディスプレー本体２は、側面部３、台座部４、及び天蓋部５より構成される（図１）。
側面部３、台座部４、及び天蓋部５は、互いに取り外し可能な構造とするのが好ましい。そのような構造の一例として、例えば、台座部４の周縁に沿って側面部３を嵌合・固定し、側面部３の周縁に沿って天蓋部５を嵌合・固定し、各々は必要に応じ随時取り外し可能な構造が挙げられる（図１、図２）。
【００１０】
側面部３の材質は透明材料であれば特に制約はなく、ガラス、透明プラスチック等の透明素材を好適に使用できる。ガラスは透明性に優れるが、衝撃に弱いという難点がある。他方、アクリル樹脂、ポリカーボネート樹脂、透明ＡＢＳ樹脂、ポリスチレン樹脂に代表される透明プラスチック材料は、ガラスよりも軽量、かつ衝撃性に優れる。上記のうち、アクリル樹脂は透明性が特に優れるので、より好ましい。
【００１１】
側面部３の形状は、どの角度からも等しく物品が鑑賞できるよう、側面部３の水平方向の断面形状が、円、又は正多角形であるのを基本とする。正多角形とする場合、側面部３の面数は３〜８の範囲が好ましい。面数が８を超えると製作の工程が増える上に、側面部３を縦に走る稜線３１の数が増え、視界の妨げとなる。なお、円筒とすれば稜線は無くなるメリットがある。側面部が円筒又は四角柱の場合、市販の筒型（アクリル）樹脂性押し出し成形品を使用できる。図１は断面が正方形の場合の例である。
【００１２】
必要に応じ、側面部３を構成する面のうち、ディスプレー本体２の前面に位置する面（正面）を他の面より大きくする形状としても良い。
なお、物品が見える視野を部分的に制約することとなるが、本考案においては、その変形として、側面部３を構成する一部の側板の全面を、鏡（ミラー）とする形態を妨げない。そのような変形した形態では、物品の反射画面も視覚に入るようになるので、複雑な美観を楽しめる。
【００１３】
さらに本考案の別の形態として、側面部３を、ディスプレーの側面の全周囲を覆うものとせずに、その一面を側板で覆うのを省き、開口部を形成する形態としてもよい。例えば、断面形状が方形である場合、正面の側板を省き、前面が開口部を形成している構成としても良い。このような形態を採用すれば、物品の交換、収容作業が容易になる。
【００１４】
台座部４は、物品載置用の回転台４１、同回転台の駆動部４２、同駆動部用の第一の充電池４３１、同充電池充電用の第一のソケット４３２、駆動部制御基板４４１（図示していない）、駆動部制御信号受信部４４２、及び底板４５を備える（図１，２）。
以下、台座部４の構成の細部について述べる。
駆動部４２、第一の充電池４３１（以後、単に「充電池４３１」と称することがある）、第一のソケット４３２（以後、単に「ソケット４３２」と称することがある）、及び駆動部制御基板４４１は底板４５上に据え付けられる。
回転台４１は、水平に回転する回転盤４１１、回転盤中心より下に伸びる回転軸４１２を備える。回転盤４１１の形状は、平面視にて円形であるのを基本とするが、オブジェの形状に応じ、方形その他の形状とすることもできる。
回転台４１の下部には、駆動部４２が配置される。
駆動部４２は、モーター４２１（図示していない）及び減速ユニット４２２（図示していない）を備える。必要に応じ、ベアリング４２３が設けられる。ベアリング４２３を配置すれば、回転盤４１１はなめらかに回転する。
【００１５】
駆動部４２の電源は、充電池４３１より供給される。充電池４３１は、モーター４２１の容量に応じて複数個であってもよい。充電池４３１は、ソケット４３２を経由して外部電源より充電される。充電池４３１を充電した後は、外部電源のコードを外した状態で本装置を使用できるため、装置の設置場所の制約が無く、かつコレクションの鑑賞、展示に際し、見た目が良くなる。なお、万が一、充電池４３１の電池残量が減り、電池切れとなった場合には、応急的にソケット４３２を経由して、外部交流電源により駆動部４２を駆動させることができる。
駆動部制御基板４４１は駆動部４２の動作制御回路を実装している。駆動部制御信号受信部４４２は後記するリモコンにより発せられる駆動部制御信号を受信し、その信号を駆動部制御基板４４１に送る。それにより駆動部４２の動作が制御される。駆動部制御信号には、駆動部電源オンオフ信号、回転台４１の回転方向切換信号、回転速度制御信号が含まれる。
制御信号受信部４４２は、ディスプレー本体２の正面側の、台座部４のいずれかの箇所に設けられる（図１，２）。
駆動部４２、充電池４３１、ソケット４３２、及び駆動部制御基板４４１が、外部から見えないよう、台座部４には不透明素材よりなる台座カバー４６を設けるのが好ましい。
以上の構成になる台座部４により、回転台４１は、リモコンによる遠隔操作により、回転の起動・停止、回転方向、回転速度を制御できる。
【００１６】
なお、充電池４３１の寿命による交換、その他部品交換・修理の利便性を考慮し、台座カバー４６は底板４５と嵌合し、取り外し可能な構造とするのが好ましい。
【００１７】
天蓋部５は、多色発光部５１、同多色発光部用の第二の充電池５２１、同充電池充電用の第二のソケット５２２、多色発光部制御信号受信部５３２、天板５４、及び天井カバー５５を備える（図１，２）。
以下、天蓋部５の構成の細部について述べる。
多色発光部５１は、ＬＥＤ５１２及び調色回路を実装したＬＥＤ基板５１１よりなっている（図２）。ＬＥＤ基板５１１は、多色発光できる構造であれば種類を問わないが、本考案においては特に多色（フルカラー）ＬＥＤを組み込んだ基板を用いるのが好ましい。青色ダイオード、赤色ダイオード、及び緑色ダイオードを、基板上に、例えば同心円状に順に配置した構成としても色を変化させることはできるが色むらが生じやすい。多色（フルカラー）ＬＥＤを複数個配置する構成とすることにより、ＬＥＤ基板５１１は均一な色を表現できるメリットがある。
天板５４の中央部分は、ＬＥＤ基板５１１の形状に合わせ切り抜かれており、必要に応じ、その中央部分はＬＥＤ基板５１１を支える支持部５４１を備えている（図２）。ＬＥＤ基板５１１は、天板５４の中央部分に据えられ、回転台４１に向け光を照射する。
【００１８】
多色発光部５１の電源は第二の充電池５２１（以後、単に「充電池５２１」と称することがある）より供給される。充電池５２１は、ＬＥＤ基板５１１に組み込まれるＬＥＤの容量に応じて複数個であってもよい。充電池５２１は、第二のソケット５２２（以後、単に「ソケット５２２」と称することがある）を経由して外部電源より充電される。充電池５２１を充電した後は、外部電源のコードを外した状態で本装置を使用できるため、装置の設置場所の制約が無く、かつコレクションの鑑賞、展示に際し、見た目も良くなる。なお、充電池５２１の電池残量が減り、電池切れとなった場合には、応急的にソケット５２２を経由して、外部交流電源により多色発光部５１を作動させることが出来る。充電池５２１、ソケット５２２は天板５４の上に配置・固定される。
多色発光部制御信号受信部５３２は後記するリモコンにより発せられる多色発光部制御信号を受信し、その信号をＬＥＤ基板５１１に送る。それにより多色発光部５１の発する光が制御される。
ＬＥＤによる多色発光の制御には多様な方式があり、本考案においては公知のいずれの方式も採用できるが、例えば、ＰＷＭ（Pulse Wave Modulation、パルス幅変調）制御による多色ＬＥＤ制御方式を例示できる。
天井カバー５５は、多色発光部５１、第二の充電池５２１、及び第二のソケット５２２を外部の衝撃や埃から守る。見栄えの観点から、第二の充電池５２１、及び第二のソケット５２２が外部から見えないようにするため、天板５４と天井カバー５５は不透明素材で構成するのがよい。
制御信号受信部５３２は、信号を受信できる位置にあればその位置に制約は無いが、ディスプレー本体２の正面側の、天井カバー５５のいずれかの箇所に設けるのが好ましい。
【００１９】
なお、充電池５２１の寿命による交換、その他部品交換・修理の利便性を考慮し、天井カバー５５は天板５４と嵌合し、取り外し可能な構造とするのが好ましい（図２）。
【００２０】
本考案において、リモコン６は、回転台動作制御部６１及び多色発光部動作制御部６２より構成される（図３）。
回転台動作制御部６１は、回転台の駆動部電源オンオフ信号、回転台の回転方向切換信号、回転速度制御信号を送信する。回転台動作制御部６１の操作部の一例を図３に示す。本図において、上記操作部は、駆動部電源オンオフボタン６１１、回転方向切換ボタン６１２、回転速度制御ボタン６１３より構成されている。
多色発光部動作制御部６２の操作部の構成例を図３に示す。本図において、操作部は、照明オンオフボタン６２１、色調選択ボタン６２２、光度調節ボタン６２３より構成されている。
図３において、操作部はボタンで構成されているが、タッチパネル式等公知の方式を採用できる。
【００２１】
以上の形態になるディスプレー装置は、物品載置用の回転台と、多色発光照明部とを備えるため、例えば、物品７が山のオブジェの場合、回転台を回転させながら、照明光を緑、赤、白と順に変えると四季の変化をかもし出すことが出来る。天然石の結晶、特定の甲虫の場合も、照射光を変えることで、美観を多様に変化させられる（図４）。
また、ＬＥＤ基板５１１に組み込まれるＬＥＤの一部を紫外線ＬＥＤとする形態とすれば、蛍石に代表される蛍光を発する自然石の発光を楽しむことも出来る。
【産業上の利用可能性】
【００２２】
本考案のディスプレー装置は、個人受けのコレクション観賞用ディスプレー装置のみならず、販社向け、施設向けの物品展示用ディスプレー装置としても利用が期待できる。
【符号の説明】
【００２３】
１．ディスプレー装置
２．ディスプレー本体
３．側面部
３１．稜線
４．台座部
４１．回転台
４１１．回転盤
４１２．回転軸
４２．駆動部
４２１．モーター
４２２．減速ユニット
４２３．ベアリング
４３１．駆動部用の第一の充電池、第一の充電池
４３２．第一の充電池充電用ソケット、第一のソケット
４４２．駆動部制御信号受信部
４５．底板
４６．台座カバー
５．天蓋部
５１．多色発光部
５１１．ＬＥＤ基板
５１２．ＬＥＤ
５２１．多色発光部用の第二の充電池、第二の充電池
５２２．第二の充電池充電用ソケット、第二のソケット
５３２．多色発光部制御信号受信部
５４．天板
５４１．支持部
５５．天井カバー
６．リモコン
６１．回転台動作制御部
６１１．駆動部電源オンオフボタン
６１２．回転方向切換ボタン
６１３．回転速度制御ボタン
６２．多色発光部動作制御部
６２１．照明オンオフボタン
６２２．色調選択ボタン
６２３．光度調節ボタン
７．物品
【図１】
0003217481.tif 000003
【図２】
0003217481.tif 000004
【図３】
0003217481.tif 000005
【図４】
0003217481.tif 000006